(57)【要約】      （修正有）【課題】点滴スタンドの輸液バッグ保持部に輸液バッグを保持させて使用する際に、輸液バッグ内から利用者に輸液を導入するためのチューブが雄ねじの基端部とグリップとの間の段差に引っかかって不便に感じられる不具合を解消する。【解決手段】移動可能な脚ベースに支柱を支持させ、その支柱に輸液パックＰを掛けるための輸液パック保持部たる輸液フックを設け、前記支柱の前記輸液フックよりも下方に位置する部位にグリップ２３２を有する緊締機構２３を設けてなる点滴スタンドであって、前記緊締機構２３が、前記支柱に設けられた雌ねじ２３１ａを有するフレームと、このフレームの雌ねじ２３１ａに螺着された雄ねじ２３２ａを有するグリップ２３２と、前記雄ねじ２３２ａが外部に露出することを防止するカバー２３３とを具備する構成を採用する。【選択図】図７
2013017654.tif 000002
【特許請求の範囲】
【請求項１】
移動可能な脚ベースに支柱を支持させ、その支柱に輸液パックを掛けるための輸液パック保持部を設け、前記支柱の前記輸液パック保持部よりも下方に位置する部位にグリップを有する緊締機構を設けてなる点滴スタンドであって、
前記緊締機構が、前記支柱に設けられた雌ねじを有するフレームと、このフレームの雌ねじに螺着された雄ねじを有するグリップと、前記雄ねじが外部に露出することを防止するカバーとを具備するものであることを特徴とする点滴スタンド。
【請求項２】
前記支柱が、前記脚ベースに立設された下部要素と、この下部要素に上下スライド可能に嵌め合わされ前記輸液パック保持部を支持する上部要素とを備えたものであり、前記緊締機構が、前記上部要素を前記下部要素に対して上下位置変更可能に固定するためのものである請求項１記載の点滴スタンド。
【請求項３】
前記緊締機構が、前記支柱の下部要素の上端部に設けられた雌ねじを有するフレームと、このフレームの雌ねじに螺着されその先端で上部要素の外周を押し付けることによりこの上部要素を前記下部要素に固定するための雄ねじを有するグリップとを備えたものである請求項２記載の点滴スタンド。
【請求項４】
前記グリップが、前記雄ねじを保持する軸部と、この軸部に回転力を付与するための把持部と、この把持部と前記軸部の外面とを滑らかに連続させる中間部とを備えたものであり、前記カバーが、前記フレームに設けられ前記グリップの軸部の外周に相対回転可能に外嵌する筒状のものである請求項１、２又は３記載の点滴スタンド。
【請求項５】
前記支柱にハンドルを設けたものであり、前記緊締機構が、前記ハンドルを前記支柱に対して上下位置変更可能に固定するためのものである請求項１記載の点滴スタンド。
【発明の詳細な説明】
【技術分野】
【０００１】
本発明は、病院等に用いられるものであって、移動可能な脚ベースに支柱を支持させ、その支柱に輸液パックを掛けるための輸液パック保持部を設けてなる点滴スタンドに関する。
【背景技術】
【０００２】
従来より、病院内や診療所内において、点滴を受けている間でも病院内や診療所内を移動することができるようにするための点滴スタンドに対する要望が存在する。この要望に対応すべく、移動可能な脚ベースに支柱を支持させ、その支柱に輸液パックを掛けるための輸液パック保持部を設けてなる点滴スタンドが用いられてきている。
【０００３】
このような点滴スタンドの支柱の多くは、高さ寸法を変更可能にすべく、脚ベースに立設された下部要素と、この下部要素に上下スライド可能に嵌め合わされ前記輸液パック保持部を支持する上部要素とを備え、前記上部要素を前記下部要素に対して上下位置変更可能に固定する緊締機構をさらに設けてなる構成を有する（例えば、特許文献１を参照）。
【０００４】
ところで、このような点滴スタンドの支柱に用いられる緊締機構は、前記支柱の下部要素に設けられた雌ねじを有するフレームと、このフレームの雌ねじに螺着された雄ねじを有するグリップとを有し、グリップの先端に設けた前記雄ねじにより支柱の上部要素を押し付け該上部要素を下部要素に対して固定する構成を有する。しかして、特許文献１記載の緊締機構の構成では、支柱の上部要素を下部要素に対して固定した際に雄ねじの基端部が外部に露出することがあり、その際雄ねじの基端部とグリップとの間に段差が存在する。そして、このような構成を有する点滴スタンドの輸液バッグ保持部に輸液バッグを保持させて使用する際に、輸液バッグ内から利用者に輸液を導入するためのチューブが雄ねじの基端部とグリップとの間の段差に引っかかって不便に感じられる不具合が存在する。
【０００５】
また、このような点滴スタンドの支柱には、ハンドル等の部材を上下位置変更可能に取り付けることも多く、このような部材の支柱への取り付け部分にも上述したような緊締機構が多く用いられているが、このような緊締機構においても、上述したような支柱の上部要素を下部要素に対して固定する緊締機構におけるものと同様の不具合が存在する。
【先行技術文献】
【特許文献】
【０００６】
【特許文献１】特開２００１−２０４７９３号公報
【発明の概要】
【発明が解決しようとする課題】
【０００７】
本発明は以上の点に着目し、点滴スタンドの輸液バッグ保持部に輸液バッグを保持させて使用する際に、輸液バッグ内から利用者に輸液を導入するためのチューブが雄ねじの基端部とグリップとの間の段差に引っかかって不便に感じられる不具合を解消することを目的とする。
【課題を解決するための手段】
【０００８】
すなわち本発明の点滴スタンドは、移動可能な脚ベースに支柱を支持させ、その支柱に輸液パックを掛けるための輸液パック保持部を設け、前記支柱の前記輸液パック保持部よりも下方に位置する部位にグリップを有する緊締機構を設けてなる点滴スタンドであって、前記緊締機構が、前記支柱に設けられた雌ねじを有するフレームと、このフレームの雌ねじに螺着された雄ねじを有するグリップと、前記雄ねじが外部に露出することを防止するカバーとを具備するものであることを特徴とする。
【０００９】
このようなものであれば、前記カバーにより雄ねじが外部に露出することが防止され、カバーの外面とグリップとの間の段差はグリップと雄ねじとの間の段差よりも小さく設定できるので、輸液バッグ内から利用者に輸液を導入するためのチューブが段差に引っかかって不便に感じられる不具合を解消することができる。
【００１０】
このような緊締機構の好適な利用態様の一例として、前記支柱が、前記脚ベースに立設された下部要素と、この下部要素に上下スライド可能に嵌め合わされ前記輸液パック保持部を支持する上部要素とを備えたものであり、前記緊締機構が、前記上部要素を前記下部要素に対して上下位置変更可能に固定するためのものであるものが挙げられる。
【００１１】
前段で述べた緊締機構を具体的に実現するための構成の一例として、前記緊締機構が、前記支柱の下部要素の上端部に設けられた雌ねじを有するフレームと、このフレームの雌ねじに螺着されその先端で上部要素の外周を押し付けることによりこの上部要素を前記下部要素に固定するための雄ねじを有するグリップとを備えたものが挙げられる。
【００１２】
グリップの外面をより滑らかに支柱の外面に接続できるようにしチューブが引っかかることを好適に防止できるようにするための具体的な構成の一例として、前記グリップが、前記雄ねじを保持する軸部と、この軸部に回転力を付与するための把持部と、この把持部と前記軸部の外面とを滑らかに連続させる中間部とを備えたものであり、前記カバーが、前記フレームに設けられ前記グリップの軸部の外周に相対回転可能に外嵌する筒状であるものが挙げられる。
【００１３】
本発明の緊締機構の好適な利用態様の他の一例として、前記支柱にハンドルを設けたものであり、前記緊締機構が、前記ハンドルを前記支柱に対して上下位置変更可能に固定するためのものであるものが挙げられる。
【発明の効果】
【００１４】
本発明によれば、点滴スタンドの輸液バッグ保持部に輸液バッグを保持させて使用する際に、輸液バッグ内から利用者に輸液を導入するためのチューブが雄ねじの基端部とグリップとの間の段差に引っかかって不便に感じられる不具合を解消することができる。
【図面の簡単な説明】
【００１５】
【図１】本発明の一実施形態に係る点滴スタンドを示す全体斜視図。
【図２】同実施形態に係る点滴スタンドを示す正面図。
【図３】同実施形態に係る点滴スタンドを示す左側面図。
【図４】同実施形態に係る点滴スタンドを示す平面図。
【図５】図２におけるＡ−Ａ断面図。
【図６】図２におけるＢ−Ｂ断面図。
【図７】図２における要部を破断して示す図。
【図８】同実施形態に係る輸液フックの取付態様を示す分解斜視図。
【図９】同実施形態に係る点滴スタンドのネスティング態様を示す図。
【図１０】本発明の第１の変形例に係る点滴スタンドを示す背面図。
【図１１】同変形例に係る点滴スタンドを示す左側面図。
【図１２】同変形例に係る点滴スタンドのネスティング態様を示す図。
【図１３】同変形例に係る点滴スタンドのネスティング態様を示す図。
【図１４】本発明の第２の変形例に係る支柱の緊締機構を示す図。
【図１５】本発明の第３の変形例に係る支柱の緊締機構を示す図。
【図１６】本発明の第４の変形例に係る支柱の緊締機構を示す図。
【発明を実施するための形態】
【００１６】
以下本発明の一実施形態を、図１〜図９を参照して説明する。
【００１７】
この点滴スタンドＳは、図１〜図４に示すように、移動可能な脚ベース１に支柱２を支持させ、その支柱２に輸液パックＰを掛けるための輸液パック保持部である輸液フック３及び左右両側及び前側からそれぞれ把持可能なハンドル４を設けてなる。なお、図２及び図３においては、支柱２を一部省略して示している。
【００１８】
脚ベース１は、図１〜図６に示すように、キャスタ１１と、キャスタ１１を支持する支持部材１２とを具備してなる。支持部材１２は、樹脂により一体に成形されたもので、前記支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えており、平面視略Ｈ字状をなしている。前記中心フレーム１２１の中央には、前記支柱２が立設されている。前記中心フレーム１２１及び前記前側の２本の脚フレーム１２２は、略同一平面上に配置されているとともに、前記後側の２本の脚フレーム１２３は前記中心フレーム１２１の下面１２１ａから略水平に延びるように配置されている。この支持部材１２の高さ寸法ｈ１は、一般的な病室用ベッド下方の隙間に挿入可能な大きさに設定されている。また、この脚ベース１は、前側の左右に隣接する２つのキャスタ１１間の距離ｗ１を前側の左のキャスタ１１に隣接する後側の左のキャスタ１１と前側の右のキャスタ１１に隣接する後側の右のキャスタ１１との間の距離ｗ２よりも大きく設定してある。さらに、この脚ベース１は、前側の左右のキャスタ１１間に前方に開放された前の起立空間１ｓ１が形成され、前側の左のキャスタ１１と後側の左のキャスタ１１との間に左側方及び後方に開放された左の起立空間１ｓ２が形成され、前側の右のキャスタ１１と後側の右のキャスタ１１との間に右側方及び後方に開放された右の起立空間１ｓ３が形成されるように構成されたものである。すなわち、脚フレーム１２２、１２３の先端部１２２ａ、１２３ａ以外の部分が、少なくとも前側の左のキャスタ１１と後側の左のキャスタ１１とを結ぶ直線、前側の右のキャスタ１１と後側の右のキャスタ１１とを結ぶ直線よりも内側に位置している。また、前側の脚フレーム１２２の先端部１２２ａ以外の部分が、前側の左のキャスタ１１と前側の右のキャスタ１１とを結ぶ直線よりも内側に位置している。具体的には、前記脚ベース１は、先端にキャスタ１１を有した４本の脚フレーム１２２、１２３を有し、前側のキャスタ１１を支持する２本の脚フレーム１２２及び後側のキャスタ１１を支持する２本の脚フレーム１２３がそれぞれ平面視において先端側が拡開するハの字状に配されており、前側の脚フレーム１２２の下に同一構造をなす他の点滴スタンドＳの後側の脚フレーム１２３を通過させることが可能な空間が形成されるように構成されている。この構成によって、後述するように複数の点滴スタンドＳをネスティングすることができるようにしてある。前記前の起立空間１ｓ１は、平面視において前方に開放されたもので、この点滴スタンドＳの前側に起立した使用者Ｕが当該点滴スタンドＳを後方に、すなわち使用者Ｕの進行方向に押しながら歩行することが可能な大きさに設定されている。前記左の起立空間１ｓ２は、平面視において左側方及び後方に開放されたもので、この点滴スタンドＳの左側に起立した使用者Ｕが当該点滴スタンドＳを前方に押しながら歩行することが可能な大きさに設定されている。前記右の起立空間１ｓ３は、平面視において右側方及び後方に開放されたもので、この点滴スタンドＳの右側に起立した使用者Ｕが当該点滴スタンドＳを前方に押しながら歩行することが可能な大きさに設定されている。そして、前記支持部材１２を構成する前側の２本の脚フレーム１２２の下に、前記前の起立空間１ｓ１及び前記左右の起立空間１ｓ２、１ｓ３にそれぞれ連通する蹴り込み空間１ｓ４が形成されている。この蹴り込み空間１ｓ４は、正面視、側面視及び背面視において視認可能に開口したもので、その高さ寸法ｈ２は、一般的な体格を有する成人のつま先が歩行中に進入可能な大きさに設定されている。一方、前記キャスタ１１は、双輪タイプのもので、その幅寸法はエレベータと該エレベータの乗り口との間の隙間の幅寸法よりも大きい。具体的には、前記キャスタ１１の幅寸法は３０ｍｍ以上であることが望ましく、本実施形態では６０ｍｍに設定されている。
【００１９】
前記支柱２は、伸縮可能なもので、図１〜図３及び図７に示すように、前記脚ベース１に立設された下部要素２１と、この下部要素２１に上下スライド可能に嵌め合わされ前記輸液フック３を支持する上部要素２２とを備えたものである。前記下部要素２１は、脚ベース１の前記中心フレーム１２１に立設された金属パイプ材製のものである。前記上部要素２２は、前記下部要素２１の内周にスライド可能に嵌合された金属パイプ材製のものである。この上部要素２２を緊締機構２３により前記下部要素２１に対して上下位置変更可能に固定している。この緊締機構２３は、前記輸液フック３よりも下方に位置する部位に設けられている。前記緊締機構２３は、図７に示すように、前記支柱２に設けられた雌ねじ２３１ａを有するフレーム２３１と、このフレーム２３１の雌ねじ２３１ａに螺着された雄ねじ２３２ａを有するグリップ２３２と、前記雄ねじ２３２ａが外部に露出することを防止するカバー２３３とを具備する。換言すれば、前記緊締機構２３は、前記支柱２の下部要素２１の上端部に設けられた雌ねじ２３１ａを有するフレーム２３１と、このフレーム２３１の雌ねじ２３１ａに螺着されその先端で上部要素２２の外周を押し付けることによりこの上部要素２２を前記下部要素２１に固定するための雄ねじ２３２ａを有するグリップ２３２と、前記雄ねじ２３２ａが外部に露出することを防止するカバー２３３とを具備する。前記フレーム２３１は、前記支柱２の下部要素２１の上端部２１ａと、この上端部２１ａに外嵌させた合成樹脂製の外嵌部材２３１ｂとを備えてなるもので、前記下部要素２１の上端部２１ａ及び外嵌部材２３１ｂのいずれか一方に雌ねじ２３１ａを有している。前記グリップ２３２は、前記雄ねじ２３２ａを保持する軸部２３２ｂと、この軸部２３２ｂに回転力を付与するための把持部２３２ｃと、この把持部２３２ｃと前記軸部２３２ｂの外面とを滑らかに連続させる中間部２３２ｄとを備えたものである。すなわちこの中間部２３２ｄは、軸部２３２ｂから把持部２３２ｃに向かって漸次径が増大する曲面形状をなしている。前記カバー２３３は、前記フレーム２３１に設けられ前記グリップ２３２の軸部２３２ｂの外周に相対回転可能に外嵌する筒状のものである。具体的には、このカバー２３３は、前記フレーム２３１の外嵌部材２３１ｂと一体に形成された薄肉円筒体状のもので、このカバー２３３の外周面２３２ａと前記グリップ２３２の中間部２３２ｄの外周面２３２ｄ１とが大きな段差を伴うことなく連続するように、換言すれば前記カバー２３３の外周面２３２ａと前記グリップ２３２の中間部２３２ｄの外周面２３２ｄ１との段差がチューブＴの外径よりも小さくなるように構成されている。そして、この支柱２の上端には、各輸液フック３に掛けられた輸液パックＰ同士が干渉しないように複数の前記輸液フック３が放射状に設けられている。この実施形態においては、４本の前記輸液フック３を着脱自在に取り付けることができるようになっているが、図面では２本の輸液フック３を装着した状態を示している。
【００２０】
前記各輸液フック３は、図１及び図２に示すように、支柱２に設けたフック取付部材５から外方に延出する延出桿３１と、この延出桿３１の延出端部に設けられたフック本体３２とを備えている。これら延出桿３１と前記フック本体３２とは、連続した細長い素材により作られたものであり、同一平面に沿って配置されている。前記フック本体３２は、前記延出桿３１の延出端に連続して設けられ上下方向に延びる上下延出部３２１と、この上下延出部３２１の延出端に連続して設けられ支柱２側に折り返す折り返し部３２２とを具備してなり、その折り返し部３２２の先端３２２ｘと前記延出桿３１との間に形成される開口３ｓが、支柱２側から輸液パックＰを挿脱し得る方向に開放されている。前記上下延出部３２１は、延出桿３１の延出端から下方に垂下するもので、病室で一般的に用いられているカーテンの網目の寸法よりも大きな上下方向寸法ｈ３を有している。前記折り返し部３２２は、上下延出部３２１の延出端に連続して設けられ前記輸液パックＰを掛け止める略Ｕ字状をなす掛け止め部分３２２ａと、この掛け止め部分３２２ａから連続して上方に延びる上向き部分３２２ｂと、この上向き部分３２２ｂの上端に連続して設けられ支柱２に向かって延びる先端部分３２２ｃとを備えたものであり、この先端部分３２２ｃと前記延出桿３１との間に輸液パックＰを挿脱するための開口３ｓが形成されている。前記折り返し部３２２の先端３２２ｘは、支柱２に向けて延出している。すなわち、前記折り返し部３２２の先端部分３２２ｃは、前記延出桿３１と平行である。前記延出桿３１は、図８に示すように、その基端に下方に屈曲して垂下する垂下部３１１を備えている。前記フック取付部材５は、支柱２の上端部に装着されたもので、その上面に、中心ボルト挿通孔５１と、この中心ボルト挿通孔５１の近傍から放射状に形成された複数本の延出桿保持溝５２と、これら各延出桿保持溝５２の基端に連続させて設けられた縦穴５３とが設けられている。前記延出桿３１は、その垂下部３１１を前記縦穴５３に挿入するとともに、その垂下部３１１に連続する基端部３１２を前記延出桿保持溝５２に嵌め合わせることによりフック取付部材５に保持されるようになっている。なお、フック取付部材５の上面には、前記中心ボルト挿通孔５１に対応する中心孔６１と、前記延出桿保持溝５２に対応する保持溝６２とを有したキャップ６が装着されるようになっており、このキャップ６の中心孔６１と前記フック取付部材５の中心ボルト挿通孔５１に挿通させたボルト６３を支柱２の内部に固設した図示しないナットに螺着することにより前記各延出桿３１を前記フック取付部材５に固定するようにしてある。以上のような輸液フック３の下方に、手を掛けることができるハンドル４を設けている。
【００２１】
前記ハンドル４は、図１〜図５に示すように、支柱２を囲う環状のハンドル本体４１と、このハンドル本体４１を支柱２に支持させるためのボス部４２とを備えてなる。このハンドル４は、左右両側及び前側からそれぞれ把持可能であり、このハンドル本体４１の内周面４１ａ側に全周に亘って連続した環状空間を形成している。本実施形態では、前記ハンドル本体４１の内周面４１ａ、上面４１ｂ及び外周面４１ｃが全周に亘って途切れることなく連続している。前記ハンドル本体４１は、環状をなす持ち手部４１１と、この持ち手部４１１の下面４１１ａと前記ボス部４２とを連結する連結部４１２とを備えており、その上面４１ｂが略水平となるように前記支柱２に取り付けられている。前記持ち手部４１１は、平面視において長軸を左右方向に向けて支柱２に取り付けられた楕円形状をなし、その断面形状は手を掛けやすくすべく略円形状に設定されている。前記環状空間は、この持ち手部４１１の内周に沿って環状をなすように連続したものである。前記連結部４１２は、前記持ち手部４１１の左右両端の下面４１１ａからそれぞれ前記ボス部４２に向かい延びる帯状のもので、持ち手部４１１に手を掛けた際に手と干渉しにくい位置に配している。前記ボス部４２は平面視において前記持ち手部４１１の中心に位置されている。このボス部４２は、支柱２に対して上下方向に取付位置を変更可能に取り付けられており、このハンドル４のボス部４２を緊締機構４３により前記支柱２に対して上下位置変更可能に固定している。この緊締機構４３は、前記ハンドル４の持ち手部４１１よりも下方に位置する部位に設けられている。前記緊締機構４３は、前記ハンドル４のボス部４２により構成される雌ねじを有するフレーム４３１と、このフレーム４３１の雌ねじに螺着された雄ねじを有するグリップ４３２と、前記雄ねじが外部に露出することを防止するカバー４３３とを具備する。この緊締機構４３は、前述した支柱２の上部要素２２を下部要素２１に固定するための緊締機構２３に準じた構成をなすものであるため、図示及び詳細な説明は省略する。
【００２２】
そして、この点滴スタンドＳは、図５及び図９を参照しつつ以下に述べるような手順によりネスティング可能である。まず、特定の点滴スタンドＳ（１）のハンドル４と、この特定の点滴スタンドＳ（１）と同一構造をなす他の点滴スタンドＳ（２）のハンドル４との上下方向相対位置を持ち手部４１１の上下方向寸法以上異ならせておく。次いで、特定の点滴スタンドＳ（１）の前方から、この点滴スタンドＳ（１）の中心フレーム１２１に他の点滴スタンドＳ（２）の中心フレーム１２１が平行となるように他の点滴スタンドＳ（２）を接近させる。このとき、特定の点滴スタンドＳ（１）の前側の脚フレーム１２２の下方に形成された蹴り込み空間１ｓ４を他の点滴スタンドＳ（２）の後側の脚フレーム１２３が通過する。そして、特定の点滴スタンドＳ（１）の支柱２に他の点滴スタンドＳ（２）のハンドル４の持ち手部４１１が接近又は当接し、特定の点滴スタンドＳ（１）の前側に他の点滴スタンドＳ（２）をネスティングさせることができる。
【００２３】
なお、以上の実施形態において、前後左右の概念は説明の便宜上用いたものであり、使用者Ｕの使用方向を規定するものではない。
【００２４】
以上に述べたように、本実施形態の点滴スタンドＳの構成によれば、前記カバー２３３により雄ねじ２３１ａが外部に露出することが防止され、カバーの２３３の外周面２３３ａとグリップ２３２の中間部２３２ｄの外周面２３２ｄ１との間の段差はグリップ２３２の軸部２３２ｂの外周面と雄ねじ２３２ａの外周面との間の段差よりも小さく、また、チューブＴの外径よりも小さいので、輸液パックＰ内から利用者Ｕに輸液を導入するためのチューブＴが段差に引っかかって不便に感じられる不具合を解消することができる。
【００２５】
また、前記支柱２が、前記脚ベース１に立設された下部要素２１と、この下部要素２１に上下スライド可能に嵌め合わされ前記輸液フック３を支持する上部要素２２とを備えたものであり、前記緊締機構２３が、前記上部要素２２を前記下部要素２１に対して上下位置変更可能に固定するためのものであるので、上部要素２２を前記下部要素２１に対して上下スライドさせ、輸液フック３の高さ位置を所望の位置に配した際に緊締機構２３を介して上部要素２２と下部要素２１との相対位置を固定することにより輸液フック３の高さ位置を変更できるようにしつつ、この緊締機構２３の軸部２３２ｂの外周面と雄ねじ２３２ａに外周面との間の段差にチューブＴが段差に引っかかって不便に感じられる不具合を解消することができる。
【００２６】
さらに、前記緊締機構２３が、前記支柱２の下部要素２１の上端部２１ａに設けられた雌ねじ２３１ａを有するフレーム２３１と、このフレーム２３１の雌ねじ２３１ａに螺着されその先端で上部要素２２の外周を押し付けることによりこの上部要素２２を前記下部要素２１に固定するための雄ねじ２３２ａを有するグリップ２３２とを備えたものであるので、簡単な構成によりこのような緊締機構２３を実現できる。
【００２７】
加えて、前記グリップ２３２が、前記雄ねじ２３２ａを保持する軸部２３２ｂと、この軸部２３２ｂに回転力を付与するための把持部２３２ｃと、この把持部２３２ｃと前記軸部２３２ｂの外面とを滑らかに連続させる中間部２３２ｄとを備えたものであり、前記カバー２３３が、前記フレーム２３１ａに設けられ前記グリップ２３２の軸部２３２ｂの外周に相対回転可能に外嵌する筒状であるので、グリップ２３２の中間部２３２ｄの外周面２３２ｄ１とカバー２３３の外面２３２ａとの段差を小さくすることによりグリップ２３２の外面をより滑らかに支柱２の外面に接続し、チューブＴがグリップ２３２とフレーム２３１との境界に引っかかることを好適に防止できる。
【００２８】
そして本実施形態では、ハンドル４を前記支柱２に対して上下位置変更可能に固定するため緊締機構４３も設けているので、ハンドル４の支柱に対する上下位置を変更して仕様の便を図るようにしつつ、この緊締機構４３のフレーム４３１とグリップ４３２との境界にチューブＴが引っかかることも防止することができる。
【００２９】
なお、本発明は以上に述べた実施形態に限らない。
【００３０】
例えば、第１の変形例として、図１０〜図１３に示すような脚ベースＸ１を備えているものが考えられる。図１０〜図１３では、脚ベースＸ１以外の各部位には、上述した実施形態における符号の前にＸを付加した符号を付している。また、図１０〜図１２においては、支柱Ｘ２を一部省略して示している。この脚ベースＸ１は、キャスタＸ１１と、キャスタＸ１１を支持する支持部材Ｘ１２とを具備してなる。支持部材Ｘ１２は、樹脂により一体に成形されたもので、前記支柱Ｘ２を支持するための左右方向に延びる中心フレームＸ１２１と、この中心フレームＸ１２１の左右両端から前方に延出する前側の２本の脚フレームＸ１２２と、前記中心フレームＸ１２１の中間部から後方に延出する後側の２本の脚フレームＸ１２３とを備えており、平面視略Ｈ字状をなしている。前記中心フレームＸ１２１の中央には、前記支柱Ｘ２が立設されている。前記中心フレームＸ１２１及び前記前側の２本の脚フレームＸ１２２は、略同一平面上に配置されている。また、前記後側の２本の脚フレームＸ１２３は、前記中心フレームＸ１２１から後方斜め下方に延びるように配置されたものであり、その基端がこれら中心フレームＸ１２１及び前側の２本の脚フレームＸ１２２と略同一平面上に配置されている。換言すれば、前記後側の２本の脚フレームＸ１２３の先端部Ｘ１２３ａの高さ位置は、前側の２本の脚フレームＸ１２２の先端部Ｘ１２２ａの高さ位置よりも下方に設定されている。そして、この支持部材Ｘ１２の高さ寸法Ｘｈ１は、一般的な病室用ベッド下方の隙間に挿入可能な大きさに設定されている。また、この脚ベースＸ１は、前側の左右に隣接する２つのキャスタＸ１１間の距離Ｘｗ１を前側の左のキャスタＸ１１に隣接する後側の左のキャスタＸ１１と前側の右のキャスタＸ１１に隣接する後側の右のキャスタＸ１１との間の距離Ｘｗ２よりも大きく設定してある。さらに、この脚ベースＸ１は、前側の左右のキャスタＸ１１間に前方に開放された前の起立空間Ｘ１ｓ１が形成され、前側の左のキャスタＸ１１と後側の左のキャスタＸ１１との間に左側方及び後方に開放された左の起立空間Ｘ１ｓ２が形成され、前側の右のキャスタＸ１１と後側の右のキャスタＸ１１との間に右側方及び後方に開放された右の起立空間Ｘ１ｓ３が形成されるように構成されたものである。すなわち、脚フレームＸ１２２、Ｘ１２３の先端部Ｘ１２２ａ、Ｘ１２３ａ以外の部分が、少なくとも前側の左のキャスタＸ１１と後側の左のキャスタＸ１１とを結ぶ直線、前側の右のキャスタＸ１１と後側の右のキャスタＸ１１とを結ぶ直線よりも内側に位置している。また、前側の脚フレームＸ１２２の先端部Ｘ１２２ａ以外の部分が、前側の左のキャスタＸ１１と前側の右のキャスタＸ１１とを結ぶ直線よりも内側に位置している。具体的には、前記脚ベースＸ１は、先端にキャスタＸ１１を有した４本の脚フレームＸ１２２、Ｘ１２３を有する。前側のキャスタＸ１１を支持する２本の脚フレームＸ１２２は平面視において先端側が拡開するハの字状に配されている。後側のキャスタＸ１１を支持する２本の脚フレームＸ１２３は、平面視において先端側がそれぞれ中心フレームＸ１２１の延出方向に対して直交する方向に配されている。換言すれば、後側のキャスタＸ１１を支持する２本の脚フレームＸ１２３は、互いに平行に配されている。前側の脚フレームＸ１２２の下に同一構造をなす他の点滴スタンドＸＳの後側の脚フレームＸ１２３を重ねることが可能な空間が形成されるように構成されている。換言すれば、前後に隣接する点滴スタンドＸＳの後側の脚フレームＸ１２３同士を上下方向に重ねることが可能に構成されている。この構成によって、図１２及び図１３に示すような態様で、本変形例に係る特定の点滴スタンドＸＳ（１）の前方に同一構造をなす他の点滴スタンドＸＳ（２）をネスティングすることができる。前記前の起立空間Ｘ１ｓ１は、平面視において前方に開放されたもので、この点滴スタンドＸＳの前側に起立した使用者が当該点滴スタンドＸＳを後方に、すなわち使用者の進行方向に押しながら歩行することが可能な大きさに設定されている。前記左の起立空間Ｘ１ｓ２は、平面視において左側方及び後方に開放されたもので、この点滴スタンドＸＳの左側に起立した使用者が当該点滴スタンドＸＳを前方に押しながら歩行することが可能な大きさに設定されている。前記右の起立空間Ｘ１ｓ３は、平面視において右側方及び後方に開放されたもので、この点滴スタンドＸＳの右側に起立した使用者が当該点滴スタンドＸＳを前方に押しながら歩行することが可能な大きさに設定されている。そして、前記支持部材Ｘ１２を構成する前側の２本の脚フレームＸ１２２の下に、前記前の起立空間Ｘ１ｓ１及び前記左右の起立空間Ｘ１ｓ２、Ｘ１ｓ３にそれぞれ連通する蹴り込み空間Ｘ１ｓ４が形成されている。この蹴り込み空間Ｘ１ｓ４は、正面視、側面視及び背面視において視認可能に開口したもので、その高さ寸法Ｘｈ２は、一般的な体格を有する成人のつま先が歩行中に進入可能な大きさに設定されている。
【００３１】
本変形例に係る脚ベースＸ１を有する点滴スタンドＸＳの構成によっても、上述した実施形態に係る点滴スタンドＳと同一又はこれに準じた効果を得ることができる。
【００３２】
また、第２の変形例として、図１４に示すような、支柱Ａ２の下部要素Ａ２１の上端部に設けられた雌ねじＡ２３１ａを有するフレームＡ２３１と、このフレームＡ２３１の雌ねじＡ２３１ａに螺着されその先端で上部要素Ａ２２の外周を押し付けることによりこの上部要素Ａ２２を前記下部要素Ａ２１に固定するための雄ねじＡ２３２ａを有するグリップＡ２３２と、前記雄ねじＡ２３２ａが外部に露出することを防止するカバーＡ２３３とを具備する緊締機構Ａ２３を採用したものが考えられる。前記フレームＡ２３１は、上述した実施形態に係る緊締機構２３に係るものと同様に、前記支柱Ａ２の下部要素Ａ２１の上端部Ａ２１ａと、この上端部Ａ２１ａに外嵌させた合成樹脂製の外嵌部材Ａ２３１ｂとを備えてなるもので、前記下部要素Ａ２１の上端部Ａ２１ａ及び外嵌部材Ａ２３１ｂのいずれか一方に雌ねじＡ２３１ａを有している。また、このフレームＡ２３１には、外方に延出し中心部に雄ねじＡ２３２ａが通過可能な孔を有するボス部Ａ２３１ｃを設けている。前記グリップＡ２３２は、前記雄ねじＡ２３２ａを保持する軸部Ａ２３２ｂと、この軸部Ａ２３２ｂに回転力を付与するための把持部Ａ２３２ｃとを備えたものである。このグリップＡ２３２の外径は支柱Ａ２から遠ざかるにつれ漸次大きくなるように形成されている。すなわちこのグリップＡ２３２の外周面は滑らかな曲面形状をなしている。前記カバーＡ２３３は、前記グリップＡ２３２と一体に設けられた薄肉円筒体状で前記フレームＡ２３１のボス部Ａ２３１ｃの外周に相対回転可能に外嵌するものである。そして、このカバーＡ２３３の外周面Ａ２３３ａは前記グリップＡ２３２の外周面Ａ２３２ｅと滑らかに連続するとともに、前記フレームＡ２３１のボス部Ａ２３１ｃの外周面Ａ２３１ｃ１と大きな段差を伴うことなく略連続するように構成されている。
【００３３】
さらに、第３の変形例として、図１５に示すように、支柱Ｂ２の下部要素Ｂ２１の上端部に設けられた雌ねじＢ２３１ａを有するフレームＢ２３１と、このフレームＢ２３１の雌ねじＢ２３１ａに螺着されその先端で上部要素Ｂ２２の外周を押し付けることによりこの上部要素Ｂ２２を前記下部要素Ｂ２１に固定するための雄ねじＢ２３２ａを有するグリップＢ２３２と、前記雄ねじＢ２３２ａが外部に露出することを防止するカバーＢ２３３とを具備する緊締機構Ｂ２３を採用したものが考えられる。前記フレームＢ２３１は、上述した実施形態に係る緊締機構２３に係るものと同様に、前記支柱Ｂ２の下部要素Ｂ２１の上端部Ｂ２１ａと、この上端部Ｂ２１ａに外嵌させた合成樹脂製の外嵌部材Ｂ２３１ｂとを備えてなるもので、前記下部要素Ｂ２１の上端部Ｂ２１ａ及び外嵌部材Ｂ２３１ｂのいずれか一方に雌ねじＢ２３１ａを有している。また、このフレームＢ２３１には、外方に延出し中心部に雄ねじＢ２３２ａが通過可能な孔を有するボス部Ｂ２３１ｃを設けている。前記グリップＢ２３２は、前記雄ねじＢ２３２ａを保持する軸部Ｂ２３２ｂと、この軸部Ｂ２３２ｂに回転力を付与するための把持部Ｂ２３２ｃとを備えたものである。このグリップＢ２３２の外径はその全域にわたって略同一に形成されている。前記カバーＢ２３３は、前記フレームＢ２３１のボス部Ｂ２３１ｃと一体に設けられた薄肉円筒体状をなす内カバーＢ２３３ａと、前記グリップＢ２３２と一体設けられ前記内カバーＢ２３３ａの外周に相対回転可能に外嵌する外カバーＢ２３３ｂとを備えたものである。そして、これら内カバーＢ２３３ａの外周面Ｂ２３３ａ１と外カバーＢ２３３ｂの外周面Ｂ２３３ｂ１とは、大きな段差を伴うことなく略連続するように構成されている。
【００３４】
加えて、第４の変形例として、図１６に示すように、支柱Ｃ２の下部要素Ｃ２１の上端部に設けられた雌ねじＣ２３１ａを有するフレームＣ２３１と、このフレームＣ２３１の雌ねじＣ２３１ａに螺着されその先端で上部要素Ｃ２２の外周を押し付けることによりこの上部要素Ｃ２２を前記下部要素Ｃ２１に固定するための雄ねじＣ２３２ａを有するグリップＣ２３２と、前記雄ねじＣ２３２ａが外部に露出することを防止するカバーＣ２３３とを具備する緊締機構Ｃ２３を採用したものが考えられる。前記フレームＣ２３１は、上述した実施形態に係る緊締機構２３に係るものと同様に、前記支柱Ｃ２の下部要素Ｃ２１の上端部Ｃ２１ａと、この上端部Ｃ２１ａに外嵌させた合成樹脂製の外嵌部材Ｃ２３１ｂとを備えてなるもので、前記下部要素Ｃ２１の上端部Ｃ２１ａ及び外嵌部材Ｃ２３１ｂのいずれか一方に雌ねじＣ２３１ａを有している。また、このフレームＣ２３１には、外方に延出し中心部に雄ねじＣ２３２ａが通過可能な孔を有するボス部Ｃ２３１ｃを設けている。前記グリップＣ２３２は、前記雄ねじＣ２３２ａを保持する軸部Ｃ２３２ｂと、この軸部Ｃ２３２ｂに回転力を付与するための把持部Ｃ２３２ｃと、この把持部Ｃ２３２ｃと前記軸部Ｃ２３２ｂの外面とを滑らかに連続させる中間部Ｃ２３２ｄとを備えたものである。すなわちこの中間部Ｃ２３２ｄは、軸部Ｃ２３２ｂから把持部Ｃ２３２ｃに向かって漸次径が増大する曲面形状をなしている。前記カバーＣ２３３は、前記フレームＣ２３１のボス部Ｃ２３１ｃ及び前記グリップＣ２３２の軸部Ｃ２３２ｂに相対回転可能に外嵌する筒状の部材である。そして、前記フレームＣ２３１のボス部Ｃ２３１ｃの外周面Ｃ２３１ｃ１と前記カバーＣ２３３の外周面Ｃ２３３ａとは、大きな段差を伴うことなく略連続するように構成されているとともに、前記グリップＣ２３２の中間部Ｃ２３２ｄの外周面Ｃ２３２ｄ１と前記カバーＣ２３１の外周面Ｃ２３３ａとも、大きな段差を伴うことなく略連続するように構成されている。
【００３５】
なお、上述した第２〜第４の変形例において、緊締部Ａ２３、Ｂ２３、Ｃ２３以外の各部位は、上述した実施形態におけるものと同様の構成を有するので、図示及び詳細な説明は省略する。
【００３６】
これらの変形例に係る緊締部Ａ２３、Ｂ２３、Ｃ２３を備えた支柱Ａ２、Ｂ２、Ｃ２を有する点滴スタンドの構成によっても、カバーＡ２３３、Ｂ２３３、Ｃ２３３により雄ねじＡ２３２ａ、Ｂ２３２ａ、Ｃ２３２ａが外部に露出することを防止し、カバーＡ２３３の外周面Ａ２３３ａとフレームＡ２３１のボス部Ａ２３１ｃの外周面Ａ２３１ｃ１との間の段差、内カバーＢ２３３ａの外周面Ｂ２３３ａ１と外カバーＢ２３３ｂの外周面Ｂ２３３ｂ１との間の段差、フレームＣ２３１のボス部Ｃ２３１ｃの外周面Ｃ２３１ｃ１とカバーＣ２３３の外周面Ｃ２３３ａとの段差、及びグリップＣ２３２の中間部Ｃ２３２ｄの外周面Ｃ２３２ｄ１とカバーＣ２３１の外周面Ｃ２３３ａとの段差を、グリップＡ２３２、Ｂ２３２、Ｃ２３２と雄ねじＡ２３２ａ、Ｂ２３２ａ、Ｃ２３２ａとの段差よりも小さく、またチューブＴの外径よりも小さくしているので、チューブＴがグリップ２３２とフレーム２３１との境界に引っかかることを好適に防止できる。
【００３７】
さらに、上述した実施形態において、グリップの外径が長手方向全域にわたって同一である形状のものであっても、カバーがグリップの外周に相対回転可能に外嵌する筒状のものであれば、上述した実施形態に係る主要な効果は全て得られる。
【００３８】
加えて、上述した実施形態及び各変形例において、支柱の下部要素の上端部にフレームを一体に形成するようにしてもよい。
【００３９】
その他、本発明の趣旨を損ねない範囲で種々に変形してよい。
【符号の説明】
【００４０】
Ｓ、ＸＳ…点滴スタンド
１、Ｘ１…脚ベース
２、Ｘ２、Ａ２、Ｂ２、Ｃ２…支柱
２１、Ａ２１、Ｂ２１、Ｃ２１…下部要素
２２、Ａ２２、Ｂ２２、Ｃ２２…上部要素
２３、Ａ２３、Ｂ２３、Ｃ２３…緊締機構
２３１、Ａ２３１、Ｂ２３１、Ｃ２３１…フレーム
２３１ａ、Ａ２３１ａ、Ｂ２３１ａ、Ｃ２３１ａ…雌ねじ
２３２、Ａ２３２、Ｂ２３２、Ｃ２３２…グリップ
２３２ａ、Ａ２３２ａ、Ｂ２３２ａ、Ｃ２３２ａ…雄ねじ
２３２ｂ、Ａ２３２ｂ、Ｂ２３２ｂ、Ｃ２３２ｂ…軸部
２３２ｃ、Ａ２３２ｃ、Ｂ２３２ｃ、Ｃ２３２ｃ…把持部
２３２ｄ、Ｃ２３２ｄ…中間部
２３３、Ａ２３３、Ｂ２３３、Ｃ２３３…カバー
３…輸液フック（輸液パック保持部）
４…ハンドル
Ｐ…輸液パック
【図１】
2013017654.tif 000003
【図２】
2013017654.tif 000004
【図３】
2013017654.tif 000005
【図４】
2013017654.tif 000006
【図５】
2013017654.tif 000007
【図６】
2013017654.tif 000008
【図７】
2013017654.tif 000009
【図８】
2013017654.tif 000010
【図９】
2013017654.tif 000011
【図１０】
2013017654.tif 000012
【図１１】
2013017654.tif 000013
【図１２】
2013017654.tif 000014
【図１３】
2013017654.tif 000015
【図１４】
2013017654.tif 000016
【図１５】
2013017654.tif 000017
【図１６】
2013017654.tif 000018